(57)【要約】【課題】表示の不連続感を緩和できる表示装置を提供する。【解決手段】本発明に係る表示装置は、開口部を有する画素を多数配置し、各画素の明るさを制御して画像を表示する方式を用いる表示装置において、前記画素の開口部の同一平面上の水平方向であって異なる４方向とそれ以上の方向に凹部を形成し、前記凹部に隣接する画素の開口部を配置する画素構造および画素配列を有することを特徴とする。【選択図】図１
2015132709.tif 000002
【特許請求の範囲】
【請求項１】
開口部を有する画素を多数配置し、
各画素の明るさを制御して画像を表示する方式を用いる表示装置において、
前記画素の開口部の中心から同一平面上で、異なる複数方向に凹凸部を形成し、
前記画素の凹凸部に隣接する画素の開口部の凹凸部を組み合わせて、配置した画素配列を有することを特徴とする表示装置。
【請求項２】
前記画素は点対称または線対称に隣接して配置した配列で構成され、前記画素間の境界線をつなげた線がどの方向においても一直線にならない画素構造および画素配列を有することを特徴とする請求項１に記載の表示装置。
【請求項３】
前記各画素の開口部は、十字形状、複十字または十字形状を基本とする形状であることを特徴とする請求項１または２に記載の表示装置。
【請求項４】
前記画素構造および画素配列は、前記複数方向に前記凹凸部を形成した開口部を有する画素とその画素を９０度傾けて配置した画素を組み合わせて隣接配置した構造および配列であることを特徴とする請求項１，２または３に記載の表示装置。
【請求項５】
前記画素構造および配列は、くの字形状画素と逆くの字形状の画素を行方向または列方向に点対称に配置して組み合わせた構造および配列であることを特徴とする請求項１に記載の表示装置。
【請求項６】
前記画素は、隣接する２つの画素が空間的に交じり合う領域において、一の画素のその隣接する画素に対する占有面積比率が前記一の画素の面積重心に近いほど大きくなることを特徴とする請求項１に記載の表示装置。
【発明の詳細な説明】
【技術分野】
【０００１】
本発明は、フラットパネルディスプレイ全般について適用される表示装置の構造に関し、特に、表示装置における表示画素（以後、単に「画素」とする）の開口形状に関する。なお、ここでいう「画素」とは、特に説明が無い限り、実際に明るさを制御できる開口領域(以下開口部ともいう)のことを指し、画素間の遮光領域は含めない。
【背景技術】
【０００２】
画像や映像を表示する表示装置の主流であるフラットパネルディスプレイには、ＬＣＤ、ＰＤＰ、ＯＬＥＤといった数種類の表示方法があるが、これらは何れも小さな画素を多数配置し各画素の明るさを制御して画像を表示する方式を用いており、本願発明が適用できる。
【０００３】
代表的なフラットパネルディスプレイであるＬＣＤを例に挙げると、前記の画素形状は通常、特許文献１乃至３に示されるような矩形形状や“くの字”形の形状、または複数の屈曲部を持つ“くの字”形を組み合わせたような形状を成している。
【０００４】
前記の表示装置において、表示画像の元となる理想的な画像データ（以後、「原画像」とする）を表示する場合、原画像の明暗パターンの境界部位置（以後、「輪郭」とする）は、画素サイズ以下の細かい位置に表示できないため、輪郭がギザギザに表示されるジャギーという現象が起こり、表示画質を低下させていた。
【０００５】
ジャギーの改善策として、特許文献４に示されるように、輪郭に対応する位置にある画素の明るさを、輪郭の両側の明暗パターンの中間的な明るさにし、輪郭がぼやけて見える状態にすることで、ギザギザ感を抑制するアンチエイリアス処理が知られている。
【先行技術文献】
【特許文献】
【０００６】
【特許文献１】特開２０１１−１５００２１号公報
【特許文献２】特開２０１２−２３４２１２号公報
【特許文献３】特開２００５−２５７８８３号公報
【特許文献４】特開平４−１８８１９２号公報
【発明の概要】
【発明が解決しようとする課題】
【０００７】
しかしながら、前記のような従来のアンチエイリアス処理では、原画像の輪郭位置と画素間の境界の位置の関係で、アンチエイリアス処理の影響度が変わってくる。
【０００８】
例えば、原画像の輪郭位置が画素の中心付近にある場合は“ぼやけ感”が強く、原画像の輪郭位置が画素と画素の間にある場合は“ぼやけ感”が弱く表示されるため、輪郭表示の不連続感が生じるという課題があった。
【０００９】
前記に示したような従来の標準的な画素形状における課題点について、図１１および１２を用いて詳細に説明する。例えば、原画像の画像パターンが白、黒の２値で構成される画像であり、かつアンチエイリアス処理を施していない場合、一般的に原画像の輪郭位置１０２に対応する画素１０１は、図１１に示すように、原画像パターンである白または黒の何れかの表示をする。
【００１０】
液晶ディスプレイ等の表示装置では、画素単位より細かく描画することができないので、実際に表示される表示画像の輪郭は各画素１０１の境界となる。すなわち、各画素１０１の配列ピッチによって決定されるとびとびの位置が、実際に表示される表示画像の輪郭になるため、画素１０１の形状を反映したギザギザの輪郭となってしまう。
【００１１】
この課題を改善する方法として、前述のアンチエイリアス処理と呼ばれる画像処理が施されることがある。アンチエイリアス処理とは、図１２に示すように、原画像の境界部に位置する画素１０１の表示を原画像パターンの白黒の中間的輝度にすることで、表示される輪郭の位置をぼやかしてギザギザ感を緩和する手法である。
【００１２】
特許文献４に示されるような、従来のオーバーサンプリング法によるアンチエイリアス処理では、原画像の輪郭位置に対応する画素は、画素内の原画像のパターンの平均的な輝度をその面積占有率相当で計算して表示するため、原画像の輪郭が画素の真ん中を通る場合は中間的な輝度を表示し、図１２のｂ部のように輪郭がぼやけた効果が得られるが、原画像の輪郭が画素と画素の境界付近を通る場合には、図１２のａ部のようにほぼ原画像の輝度を表示するため、輪郭がシャープになる。
【００１３】
特許文献１乃至３に示すような、一般的なフラットパネルディスプレイの画素形状と画素配列は、ほぼ矩形の画素形状を碁盤目状に配列した「正方配列」と呼ばれる構造を持つため、原画像の輪郭が画素配列方向に対してわずかに角度が付いた方向に延在する場合は、比較的長い周期でぼやけた部分とシャープな部分が交互に発現し、不連続感が生じるという課題があった。
【００１４】
他方、特殊な配列として、各画素行が奇数画素行と偶数画素行が１／２画素ずれるように配列した「デルタ配列」と呼ばれる構造がある。デルタ配列であれば、原画像の輪郭が列方向に対してわずかに角度が付いた方向に延在する場合には、奇数行画素、偶数行画素で原画像の輪郭位置が異なる。
【００１５】
よって、どちらかの輪郭画像がシャープな状態の場合、他方がぼやけた状態になるので正方配列の場合のような不連続感は緩和されるが、原画像の輪郭が行方向に対してわずかに角度が付いた方向に延在する場合には、正方配列と全く同じ状態となり不連続感を緩和できなかった。
【００１６】
そこで、本発明は、表示の不連続感を緩和できる表示装置を提供することを目的とする。
【課題を解決するための手段】
【００１７】
前記課題を解決するために、本発明に係る表示装置は、開口部を有する画素を多数配置し、各画素の明るさを制御して画像を表示する方式を用いる表示装置において、前記画素の開口部の中心から同一平面上の異なる複数方向に凹凸部を形成し、前記画素の凹凸部と隣接する画素の凹凸部を組合せて配置する画素構造および画素配列を有することを特徴とする。また前記画素配列において前記画素間の境界線をつなげた線がどの方向においても一直線にならないことを特徴とする。
【００１８】
また、前記各画素の開口部は、十字形状または複十字など十字形状を基本とする形状であることを特徴とする。
【００１９】
さらに、前記画素構造および画素配列は、前記４方向とそれ以上の方向に前記凹部を形成した開口部を有する画素とその画素を９０度回転した形状を有する画素の２種類以上の画素を組み合わせて隣接配置した構造および配列であってもよい。
【００２０】
他方、本発明に係る表示装置は、開口部を有する画素を多数配置し、各画素の開口部の明るさを制御して画像を表示する方式を用いる表示装置において、前記画素の開口部に凹凸部を形成し、前記凹凸部に隣接する画素の開口部と隣接し、点対称または線対称に配置した配列で構成され、前記画素間の境界線をつなげた線がどの方向においても一直線にならない画素構造および画素配列を有することを特徴とする。
【００２１】
その場合の前記画素構造および配列は、矢羽形状の画素の凹部と凸部を隣接して結合した画素配列のように対向して、点対象に配置した画素を組み合わせた構造および配列であってもよい。
【００２２】
なお、前記各画素は、隣接する２つの画素が空間的に交じり合う領域において、一の画素のその隣接する画素に対する占有面積比率が前記一の画素の面積重心に近いほど大きくなる。
【発明の効果】
【００２３】
本発明では、画素の平面方向の形状に凹凸部分を設け、その凹凸部に隣接する画素の一部が配置されるようにすることで、原画像の輪郭位置と画素境界の位置が重なっても隣接する２つの画素の画素境界が空間的に混じり合うため“ぼやけ感”が得られる。
【００２４】
これにより、輪郭にアンチエイリアス処理を施した時に、原画像の輪郭位置が画素の中心付近にある場合の“ぼやけ感”と、原画像の輪郭位置が画素の境界付近にある場合のぼやけ感の差が緩和される。また、アンチエイリアス処理を施さなくても輪郭がぼやけた効果が得られるため、ジャギーが緩和される。
【００２５】
さらに、隣接する２つの画素が空間的に交じり合う領域において、自画素と自画素に隣接する画素の占有面積比率が自画素の面積重心に近いほど大きくなるようにすることで、輪郭のぼやけ感にグラデーションが生じ、より自然で連続感がある輪郭処理が得られる。
【図面の簡単な説明】
【００２６】
【図１】本発明の一例である十字形状画素の画素構造を示す図である。
【図２ａ】従来の正方配列画素構造の一例を示す図である。
【図２ｂ】図２ａに示す画素構造であって、原画像の輪郭が画素の境界と一致する場合の表示状態を示す図である。
【図２ｃ】図２ａに示す画素構造であって、原画像の輪郭が画素の中心付近に存在する場合の表示状態を示す図である。
【図２ｄ】図２ａに示す画素構造であって、原画像の輪郭が水平方向に延在する場合の表示状態を示す図である。
【図３ａ】従来のデルタ配列画素構造の配置例を示す図である。
【図３ｂ】図３ａに示す画素構造での輪郭部の表示状態を示す図である。
【図３ｃ】図３ａに示す画素構造での輪郭部の表示状態を示す図である。
【図３ｄ】図３ａに示す画素構造であって、原画像の輪郭が水平方向に延在する場合の表示状態を示す図である。
【図４ａ】本発明の実施例１における画素形状での表示状態を示す図である。
【図４ｂ】図４ａに示す画素構造での輪郭部の表示状態を示す図である。
【図４ｃ】図４ａに示す画素構造での輪郭部の表示状態を示す図である。
【図４ｄ】図４ａに示す画素構造であって、原画像の輪郭が水平方向に延在する場合の表示状態を示す図である。
【図５ａ】従来例である矩形形状画素の正方配列において、輪郭位置と輝度平均値の関係を説明する図およびグラフである。
【図５ｂ】従来例である矩形形状画素の正方配列において、輪郭位置と輝度平均値の関係を説明する図およびグラフである。
【図６ａ】本発明の一例である十字形状画素のデルタ配列において、輪郭位置と輝度平均値の関係を説明する図およびグラフである。
【図６ｂ】本発明の一例である十字形状画素のデルタ配列において、輪郭位置と輝度平均値の関係を説明する図およびグラフである。
【図７】本発明の実施例２に係る十字形状画素の正方配列構造を示す図である。
【図８】本発明の実施例３に係る十字形状画素のデルタ配列であって、通常のデルタ配列の行と列の関係を入れ替えた配列を示す図である。
【図９ａ】本発明の実施例４に係る画素構造であって、凹凸部を有した画素と前記画素と対称形状を成す画素とを対向して組み合わせて配列した構造を示す図である。
【図９ｂ】本発明の実施例４に係る画素構造であって、凹凸部を有した画素と前記画素と対称形状を成す画素とを対向して組み合わせて配列した構造を示す図である。
【図１０】本発明の実施例５に係る画素構造であって、複十字形状の凹凸部を有した画素と前記画素を９０度回転させて、隣接して交互に配列した図である。
【図１１】従来例である矩形形状画素の正方配列において、アンチエイリアス処理を施さない場合の表示状態を説明する図である。
【図１２】従来例である矩形形状画素の正方配列において、オーバーサンプリング方式を用いたアンチエイリアス処理を施した場合の表示状態を説明する図である。
【発明を実施するための形態】
【００２７】
次に、本発明の実施形態について図面を参照して詳細に説明する。なお、ここでは液晶表示装置に関して説明するが、本発明は、液晶表示装置に限らず、ＰＤＰや有機ＥＬのような各画素に輝度を制御して画像を表示する方式の表示装置全般に適用することができる。また本願発明の画素の形状、配列は本願発明の目的を解決するものであれば、以下の実施例に限定されない。
【００２８】
（実施例１）
本発明の実施例１における液晶表示装置の構造について、図１を用いて説明する。
【００２９】
液晶表示装置の場合、各画素１に所定の電圧を印加し、液晶を駆動することで各画素１の透過率を制御する。バックライト光源から出射された光は、各画素１を透過して表示面から出射するので、各画素１の透過率を制御することで、各画素の明るさを制御して画像を表示することができる。
【００３０】
各画素１に所定の電圧を印加するために、各画素にはスイッチング素子１１が配置されており、スイッチング素子１１を介してデータ配線の信号電圧を印加する。また、スイッチング素子１１には、スイッチング素子の制御のために、ゲート配線１２に接続されたゲート電極が設けられており、ゲート電圧の切り替えでスイッチング素子のＯＮ／ＯＦＦを制御することができる。
【００３１】
各画素１は、一般的には、２本のゲート配線１２とそれらに直交する２本のデータ配線１３に囲まれた領域に存在する。ゲート配線１２とデータ配線１３の間には絶縁膜が存在するため、ゲート配線１２とデータ配線１３が交差する部分においても、両者は電気的に分離されている。
【００３２】
本実施例におけるゲート配線１２とデータ配線１３は、ともに蛇行するような形状であるため、ゲート配線１２とデータ配線１３に囲まれた領域である画素電極も画素の開口部も複雑な形状を取る。具体的には、各画素１は十字形状になっているので、画素の重心Ｘから見て斜めの４方向である右上、右下、左上、左下方向に画素の凹凸部が存在し、その凹凸部に隣接する画素の一部を組合わせて配置される構造になっている。
【００３３】
このように４方向以上の方向に凹凸部を設けることで、原画像の輪郭位置が画素の重心Ｘから見てどの位置にあっても、輪郭が隣接する画素にもかかる確率を上げることができる。
【００３４】
本実施例では、各画素行と隣接する上下の画素行において、各画素の重心Ｘの位置が行方向に半画素分ずれた配置となっていて、各画素の重心Ｘを結ぶと三角形の形状となるような画素配列を採っている（デルタ配列）。
【００３５】
また、本実施例では、画素形状が十字形状となっているため、画素重心から距離が離れた部分の画素幅が狭くなるので、自画素と自画素に隣接する画素が混在する領域においては概ね自画素の画素重心から距離が離れるに従って自画素の面積占有比率が小さくなっていく構造になっている。
【００３６】
次に、本実施例における画像パターンの表示方法および表示状態について、図２ａ乃至４を用いて、原画像の表示パターンの輪郭位置の延在方向が画素配列の列方向とほぼ並行であるときを例に、原画像パターンをアンチエイリアス処理を施して表示した場合の表示状態を、従来の画素構造と本実施例の画素構造とを比較して説明する。
【００３７】
例えば、図２ａに示すような従来の矩形の画素１ａ形状において、原画像の輪郭位置と画素１ｂの境界位置とが一致する場合（図２ｂ）は、アンチエイリアス処理を施しても表示される画像の輪郭２ｂもシャープな明暗が付き、逆に原画像の輪郭位置２ｃが画素１ｃの中央付近にある場合（図２ｃ）は、該当画素が輪郭の両脇の中間的な輝度となるため、画像の輪郭がぼやけたような表示がされる。また、図２ｄに示すように画素１ｄ形状において、原画像の輪郭位置２ｄが横方向に表示されたものである。
【００３８】
一方、図３ａに示したデルタ配列や図４ａに示した本実施例の画素構造では、偶数列と奇数列で画素(１、１ｅ、１ｆ、１ｇ、１ｈ)の位置が半ピッチずれるので、偶数行の画像の輪郭がシャープな表示の場合は奇数行の画像の輪郭がぼやけて、これらが補完状態になり、原画像の輪郭位置（２，２ｆ、２ｇ、２ｈ）がどこにあっても適当なぼやけ状態となる（図３ｂ，図３ｃ，図４ｂ，図４ｃ、４ｄ）。
【００３９】
次に、原画像の輪郭位置の延在方向が画素配列の行方向とほぼ並行の場合では、デルタ配列（図３ｄ）の場合は、正方配列の列方向の場合（図２ｂ，図２ｃ）と同様に、画素の境界位置と原画像の輪郭位置が一致する部分と一致しない部分が生じて、表示される輪郭のぼやけ感が方向により異なってくる図２ｄおよび図３ｄの説明図では、画素の境界位置と原画像の輪郭位置とが一致しているので、ぼやけのないシャープな表示になっている。
【００４０】
一方、前記の場合でも、図４ａに示した本実施例の画素構造においては、行および列方向で、画素１と原画像の輪郭の境界が一致することがないので、必ず輪郭部に適当なぼやけが発生する（図４ｄ）。
【００４１】
本発明の実施例１における効果を、図５および６を用いて説明する。図５ａおよび図５ｂは、従来の画素構造でのアンチエイリアス処理を施した時の表示状態と、輪郭近傍の輝度変化を表すようにグラフ化したものである。グラフ縦軸には輪郭の延在方向に輝度値を平均化した値を、グラフ横軸には輪郭と直交する方向の位置座標を取っている。
【００４２】
図５ａは、従来の画素構造および画素配列で輪郭が画素境界と一致する位置だった場合における輪郭近傍の位置に対する輝度の変化を表しており、輪郭位置を境に輝度が急激に変化する。一方、図５ｂは、従来の画素構造および画素配列で輪郭が画素の中心付近に位置する場合における輪郭近傍の輝度変化を表しており、階段状に輝度変化が起きている。
【００４３】
すなわち、輪郭位置と画素の位置の関係によって輝度の変化のしかたが異なり、表示画質が劣化する。また、中間輝度部分においても、画素ピッチ単位の輝度変化しか表現できないため輝度変化が階段状になり、不自然なぼやけ表現になる。
【００４４】
一方、本実施例における図６ａの画素１の構造では、異なる輪郭位置である図６ａおよび図６ｂにおいてもほぼ同様の輝度変化で表示されるため、輪郭がどの位置にあっても均質なぼやけ感が得られる。
【００４５】
さらに、本実施例の画素構造では、自画素の表示面積が、自画素の面積重心からの距離が離れるに従って小さくなっていくため、輪郭部に対応する部分の輝度がなだらかに変化する効果があり、輪郭部により自然なぼやけ感が得られる。
【００４６】
また、本実施例の画素構造は、アンチエイリアス処理を施さなくとも隣接する画素が空間的に混じり合う構造であり、輪郭がぼやけるため、ジャギーが緩和できる効果が得られる。
【００４７】
（実施例２）
本発明の他の実施形態である実施例２では、図７に示すように、画素２の形状を実施例１と同様に十字形状とした上で、画素を斜めに回転させて配置することで画素重心の配列を変えている。指示番号３ａで示すように画素配列は正方配列となっている。
【００４８】
すなわち、本実施例においては、画素２の重心の配列を画素行と画素列が直線的に配置された正方配列となるようにすることで、原画像から表示画像への変換処理がデルタ配列に比べ比較的簡単に行えるという利点を有する。
【００４９】
（実施例３）
本発明の実施例３では、図８に示すように、実施例１の画素形状と同じ形状のまま画素配列の行と列を入れ替えた配列にしている。指示番号３ｂで示すように画素配列は通常のデルタ配列とは９０度異なる。
【００５０】
すなわち、実施例１では、各画素１の重心が行方向には直線的に並び、列方向には１／２画素幅ずつ位置がずれたジグザグの配置になるのに対して、実施例３では、各画素３の重心を列方向につなぐと直線的に並び、行方向につなぐとジグザクの配置となるように配列にしている。
【００５１】
なお、本発明の画素構造は、デルタ配列の行と列を入れ替えた配置においても同様の効果を得ることができ、表示する画像の輪郭線が縦方向および横方向のどちらが多いかがあらかじめ分かっている場合は、実施例１のような画素行ごとに配置がずれる普通のデルタ配列より、図８に示すような本実施例の配列の方が有利な場合がある。
【００５２】
（実施例４）
本発明の実施例４について、図９ａおよび図９ｂを用いて説明する。本実施例の一つである図９ａに示した表示装置は、画素の１ヶ所が矢羽のように凹形状となっている隣接する画素４１ａ、４１ｂを交互にを一列ずつ逆向きに行方向で対向して配置している。
【００５３】
また、本実施例のうちのもう一つである図９ｂに示した表示装置は、画素の１ヶ所が凹形状となっている隣接する画素４ｂを縦方向に一行ずつ逆向きに配置している。これらの実施例は両方とも、一方の画素の凹部がある辺に、他方の対称形状である画素の凹部がある辺が１／２画素ずれて配置された画素配列になっている。
【００５４】
具体的には、くの字形状の隣接する画素４１ａで構成される画素列を交互に配置し、結合し、隣接する画素４１ｂは、重心に対して縦方向に１／２のピッチずらして配置する構造、および隣接する画素２を画素行を交互に配置し、画素２ｂ横方向に１／２のピッチずらして配置する構造である。
【００５５】
これにより、画素境界がどの方向にも一直線にならないので、輪郭と画素境界が一致することがなくなるため、原画像の輪郭は隣接する画素の両方にかかることになり、輪郭表示がシャープにならずに自然なぼやけ感を得ることができる。なお、図９ａおよび図９ｂは実施例４の一例であり、画素の形状は本願発明の目的を達成する手段において、本願発明の実施例の形状に限定されない。
【００５６】
（実施例５）
本発明の実施例５では、図１０に示すように、複数の凹部（本実施例では６ケ所）を含む複十字形状の画素５１と、その画素を９０度回転させた形状の画素５２を交互に隣接配置するように組み合わせた配列の実施例である。
【００５７】
画素を方向を変えて使うことで、画素単体の形状の複雑さに加えて、組み合わせによる画素間の境界の複雑さを作りだすことができるため、ぼやけ感をより強く得ることができる。なお、配置する方向以外は同一形状であって画素面積などが変わらないので、比較的簡単な処理で原画像データを表示画像データに変換することができる。
【００５８】
以上の各実施例に係る各画素では、隣接する２つの画素が空間的に交じり合う領域において、一の画素のその隣接する画素に対する占有面積比率が前記一の画素の面積重心に近いほど大きくなるようにしたことで、輪郭のぼやけ感にグラデーションが生じ、より自然で連続感がある輪郭処理が得られる。なお、カラー表示に対応する場合は、フィールドシーケンシャル方式等の時分割方式と組み合わせることで実現が可能である。
【符号の説明】
【００５９】
１    画素（実施例１）
２    画素（実施例２）
３    画素（実施例３）
４１ａ、４１ｂ    矢羽形状の画素（横方向、実施例４）
４２ｂ、４２ａ    矢羽形状の画素（縦方向実施例４）
５1    角度０°の画素（実施例５）
５2    角度９０°回転した画素（実施例５）
１１  スイッチング素子
１２  ゲート配線１２
１３  データ配線
１０１    従来の矩形画素
【図１】
2015132709.tif 000003
【図２ａ】
2015132709.tif 000004
【図２ｂ】
2015132709.tif 000005
【図２ｃ】
2015132709.tif 000006
【図２ｄ】
2015132709.tif 000007
【図３ａ】
2015132709.tif 000008
【図３ｂ】
2015132709.tif 000009
【図３ｃ】
2015132709.tif 000010
【図３ｄ】
2015132709.tif 000011
【図４ａ】
2015132709.tif 000012
【図４ｂ】
2015132709.tif 000013
【図４ｃ】
2015132709.tif 000014
【図４ｄ】
2015132709.tif 000015
【図５ａ】
2015132709.tif 000016
【図５ｂ】
2015132709.tif 000017
【図６ａ】
2015132709.tif 000018
【図６ｂ】
2015132709.tif 000019
【図７】
2015132709.tif 000020
【図８】
2015132709.tif 000021
【図９ａ】
2015132709.tif 000022
【図９ｂ】
2015132709.tif 000023
【図１０】
2015132709.tif 000024
【図１１】
2015132709.tif 000025
【図１２】
2015132709.tif 000026